(57)【要約】【課題】送りネジとナットとを用いてレンズ枠を移動させる場合であっても、移動中のレンズ枠の振動を抑制することが可能なレンズ鏡筒を提供する。【解決手段】このレンズ鏡筒は、レンズを保持しレンズの光軸方向へ移動可能なレンズ枠５と、レンズ枠５を光軸方向へ移動させる移動機構６とを備えており、移動機構６は、送りネジ１１と、送りネジ１１を回転させる駆動源１２と、レンズ枠５をＺ１方向側に付勢する付勢部材と、レンズ枠５のＺ１方向側に配置され送りネジ１１にねじ結合するナット１４と、光軸方向においてナット１４とレンズ枠５との間に配置される低摩擦部材１５とを備えている。このレンズ鏡筒では、レンズ枠５と低摩擦部材１５との間の摩擦係数、および、ナット１４と低摩擦部材１５との間の摩擦係数の少なくともいずれか一方は、レンズ枠５とナット１４とが接触しているとした場合のレンズ枠５とナット１４との間の摩擦係数よりも小さくなっている。【選択図】図２
2018031874.tif 000002
【特許請求の範囲】
【請求項１】
レンズを保持するとともに前記レンズの光軸方向へ移動可能なレンズ枠と、送りネジと前記送りネジを回転させる駆動源とを有し前記レンズ枠を前記光軸方向へ移動させる移動機構とを備え、
前記レンズ枠には、前記光軸方向で前記レンズ枠を貫通する貫通穴が形成され、
前記送りネジは、前記送りネジの軸方向と前記光軸方向とが一致するように前記貫通穴に挿通され、
前記光軸方向の一方側を第１方向側とし、前記第１方向側の反対側を第２方向側とすると、
前記移動機構は、前記レンズ枠を前記第１方向側に付勢する付勢部材と、前記レンズ枠の前記第１方向側に配置され前記送りネジにねじ結合するナットと、前記光軸方向において前記ナットと前記レンズ枠との間に配置される低摩擦部材とを備え、
前記レンズ枠と前記低摩擦部材との間の摩擦係数、および、前記ナットと前記低摩擦部材との間の摩擦係数の少なくともいずれか一方は、前記レンズ枠と前記ナットとが接触しているとした場合の前記レンズ枠と前記ナットとの間の摩擦係数よりも小さくなっていることを特徴とするレンズ鏡筒。
【請求項２】
前記レンズ枠と前記低摩擦部材との間の摩擦係数、および、前記ナットと前記低摩擦部材との間の摩擦係数は、前記レンズ枠と前記ナットとが接触しているとした場合の前記レンズ枠と前記ナットとの間の摩擦係数よりも小さくなっていることを特徴とする請求項１記載のレンズ鏡筒。
【請求項３】
前記低摩擦部材は、環状かつ平板状に形成されるワッシャであり、
前記低摩擦部材の内周側に前記送りネジが挿通されていることを特徴とする請求項１または２記載のレンズ鏡筒。
【請求項４】
前記低摩擦部材は、円環状に形成されていることを特徴とする請求項３記載のレンズ鏡筒。
【請求項５】
前記光軸方向から見たときに、前記低摩擦部材の内周面は、前記ナットの外形の中に納まっていることを特徴とする請求項３または４記載のレンズ鏡筒。
【請求項６】
前記光軸方向から見たときに、前記低摩擦部材は、前記ナットの外形の中に納まっていることを特徴とする請求項１から５のいずれかに記載のレンズ鏡筒。
【請求項７】
前記低摩擦部材の厚さは、前記送りネジのピッチ以上の厚さであることを特徴とする請求項１から６のいずれかに記載のレンズ鏡筒。
【請求項８】
前記低摩擦部材の比重は、前記レンズ枠の比重および前記ナットの比重の少なくともいずれか一方よりも大きいことを特徴とする請求項１から７のいずれかに記載のレンズ鏡筒。
【請求項９】
前記低摩擦部材は、ポリテトラフルオロエチレンで形成されていることを特徴とする請求項１から８のいずれかに記載のレンズ鏡筒。
【発明の詳細な説明】
【技術分野】
【０００１】
本発明は、撮像装置に用いられるレンズ鏡筒に関する。
【背景技術】
【０００２】
従来、撮像装置に用いられるレンズ鏡筒が知られている（たとえば、特許文献１参照）。特許文献１に記載のレンズ鏡筒は、フォーカスレンズと、フォーカスレンズを保持するレンズ枠と、レンズ枠を光軸方向へ案内するガイド軸と、光軸方向前方へレンズ枠を付勢するバネと、レンズ枠が光軸方向後方から接触する中継部材と、中継部材を光軸方向へ案内する中継ガイド軸とを備えている。また、このレンズ鏡筒は、モータと、モータの回転軸に形成される送りネジにねじ結合するナットとを備えている。送りネジは、中継部材のナット当接部に形成される貫通穴に挿通されている。ナットは、ナット当接部の光軸方向前方に配置されている。中継部材には、レンズ枠を介してバネの付勢力が作用しており、ナット当接部は、ナットに接触している。
【０００３】
特許文献１に記載のレンズ鏡筒では、送りネジが一方向へ回転してナットが光軸方向前方に移動すると、レンズ枠は、バネの付勢力によって、中継部材と一緒にナットに追従して光軸方向前方へ移動する。一方、このレンズ鏡筒では、送りネジが反対方向へ回転してナットが光軸方向後方に移動すると、レンズ枠は、中継部材を介してナットに押されて光軸方向後方へ移動する。
【先行技術文献】
【特許文献】
【０００４】
【特許文献１】特開２０１５−１３８１４０号公報
【発明の概要】
【発明が解決しようとする課題】
【０００５】
本願発明者の検討によると、特許文献１に記載のレンズ鏡筒のように送りネジとナットとを用いてレンズ枠を光軸方向へ移動させる場合、移動中のレンズ枠に振動（がたつき）が生じることが明らかになった。具体的には、ナットの内周面に形成されるメネジと送りネジとの間の隙間の影響で、送りネジに沿って移動するナットに振動が生じていること、および、ナットの振動がレンズ枠に伝達されて移動中のレンズ枠に振動が生じていることが明らかになった。また、本願発明者の検討によると、移動中のレンズ枠に振動が生じるため、レンズ枠が移動しているときの画像に像ぶれが発生することが明らかになった。
【０００６】
そこで、本発明の課題は、送りネジとナットとを用いてレンズ枠を移動させる場合であっても、移動中のレンズ枠の振動を抑制することが可能なレンズ鏡筒を提供することにある。
【課題を解決するための手段】
【０００７】
上記の課題を解決するため、本発明のレンズ鏡筒は、レンズを保持するとともにレンズの光軸方向へ移動可能なレンズ枠と、送りネジと送りネジを回転させる駆動源とを有しレンズ枠を光軸方向へ移動させる移動機構とを備え、レンズ枠には、光軸方向でレンズ枠を貫通する貫通穴が形成され、送りネジは、送りネジの軸方向と光軸方向とが一致するように貫通穴に挿通され、光軸方向の一方側を第１方向側とし、第１方向側の反対側を第２方向側とすると、移動機構は、レンズ枠を第１方向側に付勢する付勢部材と、レンズ枠の第１方向側に配置され送りネジにねじ結合するナットと、光軸方向においてナットとレンズ枠との間に配置される低摩擦部材とを備え、レンズ枠と低摩擦部材との間の摩擦係数、および、ナットと低摩擦部材との間の摩擦係数の少なくともいずれか一方は、レンズ枠とナットとが接触しているとした場合のレンズ枠とナットとの間の摩擦係数よりも小さくなっていることを特徴とする。
【０００８】
本発明のレンズ鏡筒では、光軸方向においてナットとレンズ枠との間に低摩擦部材が配置されており、レンズ枠と低摩擦部材との間の摩擦係数、および、ナットと低摩擦部材との間の摩擦係数の少なくともいずれか一方は、レンズ枠とナットとが接触しているとした場合のレンズ枠とナットとの間の摩擦係数よりも小さくなっている。そのため、本発明では、レンズ枠と低摩擦部材との間の摩擦係数がレンズ枠とナットとの間の摩擦係数よりも小さくなっていれば、ナットとレンズ枠とが接触しているとしたときにナットとレンズ枠との間に生じる摩擦力よりも、低摩擦部材とレンズ枠との間に生じる摩擦力が小さくなる。また、ナットと低摩擦部材との間の摩擦係数がレンズ枠とナットとの間の摩擦係数よりも小さくなっていれば、ナットとレンズ枠とが接触しているとしたときにナットとレンズ枠との間に生じる摩擦力よりも、低摩擦部材とナットとの間に生じる摩擦力が小さくなる。
【０００９】
すなわち、本発明では、ナットとレンズ枠とが接触しているとしたときにナットとレンズ枠との間に生じる摩擦力よりも、低摩擦部材とレンズ枠との間に生じる摩擦力および低摩擦部材とナットとの間に生じる摩擦力の少なくともいずれか一方が小さくなる。そのため、本発明では、送りネジに沿って移動する際のナットの、光軸方向に直交する方向における振動がレンズ枠に伝達されにくくなる。したがって、本発明では、送りネジとナットとを用いてレンズ枠を移動させる場合であっても、移動中のレンズ枠の振動を抑制することが可能になる。
【００１０】
本発明において、レンズ枠と低摩擦部材との間の摩擦係数、および、ナットと低摩擦部材との間の摩擦係数は、レンズ枠とナットとが接触しているとした場合のレンズ枠とナットとの間の摩擦係数よりも小さくなっていることが好ましい。このように構成すると、ナットとレンズ枠とが接触しているとしたときにナットとレンズ枠との間に生じる摩擦力よりも、低摩擦部材とレンズ枠との間に生じる摩擦力および低摩擦部材とナットとの間に生じる摩擦力の両方が小さくなる。したがって、送りネジに沿って移動する際のナットの、光軸方向に直交する方向における振動がレンズ枠により伝達されにくくなり、その結果、移動中のレンズ枠の振動を効果的に抑制することが可能になる。
【００１１】
本発明において、低摩擦部材は、環状かつ平板状に形成されるワッシャであり、低摩擦部材の内周側に送りネジが挿通されていることが好ましい。この場合には、たとえば、低摩擦部材は、円環状に形成されている。このように構成すると、環状に形成される低摩擦部材の内周側に送りネジが挿通されているため、ナットとレンズ枠との間からの低摩擦部材の外れを防止することが可能になる。
【００１２】
本発明において、光軸方向から見たときに、低摩擦部材の内周面は、ナットの外形の中に納まっていることが好ましい。このように構成すると、環状に形成される低摩擦部材の全周に亘って、ナットとレンズ枠との間に低摩擦部材を確実に配置することが可能になる。したがって、ナットとレンズ枠との接触を確実に防止することが可能になる。
【００１３】
本発明において、光軸方向から見たときに、低摩擦部材は、ナットの外形の中に納まっていることが好ましい。このように構成すると、低摩擦部材と他の構成との干渉を防止しやすくなる。
【００１４】
本発明において、低摩擦部材の厚さは、送りネジのピッチ以上の厚さであることが好ましい。このように構成すると、送りネジが回転したときに、送りネジのネジ山やネジ溝に沿って送りネジの径方向へ低摩擦部材が移動して振動するのを防止することが可能になる。したがって、低摩擦部材の振動に起因するレンズ枠の振動を抑制することが可能になる。
【００１５】
本発明において、低摩擦部材の比重は、たとえば、レンズ枠の比重およびナットの比重の少なくともいずれか一方よりも大きくなっている。この場合には、移動時の低摩擦部材の慣性を大きくすることが可能になるため、移動時の低摩擦部材の振動を抑制することが可能になる。したがって、低摩擦部材の振動に起因するレンズ枠の振動を抑制することが可能になる。
【００１６】
本発明において、低摩擦部材は、ポリテトラフルオロエチレンで形成されていることが好ましい。このように構成すると、低摩擦部材とレンズ枠との間に生じる摩擦力および低摩擦部材とナットとの間に生じる摩擦力をより小さくすることが可能になる。したがって、送りネジに沿って移動する際のナットの、光軸方向に直交する方向における振動がレンズ枠により伝達されにくくなり、その結果、移動中のレンズ枠の振動を効果的に抑制することが可能になる。
【発明の効果】
【００１７】
以上のように、本発明のレンズ鏡筒では、送りネジとナットとを用いてレンズ枠を移動させる場合であっても、移動中のレンズ枠の振動を抑制することが可能になる。
【図面の簡単な説明】
【００１８】
【図１】本発明の実施の形態にかかるレンズ鏡筒の概略断面図である。
【図２】図１に示すレンズ枠、保持部材および移動機構の分解斜視図である。
【図３】図２に示すレンズ枠の一部および移動機構を異なる方向から示す分解斜視図である。
【図４】図３に示すレンズ枠、ナットおよびワッシャに送りネジが挿通された状態の断面図である。
【図５】本発明の他の実施の形態にかかるワッシャの構成を説明するための図である。
【発明を実施するための形態】
【００１９】
以下、図面を参照しながら、本発明の実施の形態を説明する。
【００２０】
（レンズ鏡筒の構成）
図１は、本発明の実施の形態にかかるレンズ鏡筒１の概略断面図である。図２は、図１に示すレンズ枠５、保持部材８および移動機構６の分解斜視図である。図３は、図２に示すレンズ枠５の一部および移動機構６を異なる方向から示す分解斜視図である。図４は、図３に示すレンズ枠５、ナット１４およびワッシャ１５に送りネジ１１が挿通された状態の断面図である。
【００２１】
本形態のレンズ鏡筒１は、デジタルカメラ等の撮像装置（図示省略）に用いられる。このレンズ鏡筒１は、レンズ２と、レンズ２を保持するレンズ保持体３とを備えている。また、レンズ鏡筒１は、フォーカスレンズ４（以下、「レンズ４」とする）を備えている。レンズ４は、レンズ４の光軸とレンズ２の光軸とが一致するように配置されている。また、レンズ鏡筒１は、レンズ４を保持するとともにレンズ２、４の光軸の方向（光軸方向）へ移動可能なレンズ枠５と、レンズ枠５を光軸方向へ移動させる移動機構（焦点調整機構）６とを備えている。
【００２２】
以下の説明では、光軸方向の一方側（図１等のＺ１方向側）を「前」側とし、その反対側（図１等のＺ２方向側）を「後（後ろ）」側とする。本形態では、前側は被写体側となっており、後ろ側は像側となっている。また、本形態の前側は、光軸方向の一方側である第１方向側となっており、後ろ側は、第１方向側の反対側である第２方向側となっている。
【００２３】
レンズ保持体３は、レンズ枠５を移動可能に保持する保持部材８を備えている。保持部材８は、筒状に形成されており、レンズ保持体３の後端側部分を構成している。レンズ枠５は、保持部材８の内周側に配置されており、レンズ４は、レンズ２よりも後ろ側に配置されている。レンズ鏡筒１が用いられる撮像装置がデジタルカメラである場合には、レンズ４の後ろ側に撮像素子が配置されている。保持部材８には、レンズ枠５を光軸方向（前後方向）へ案内するためのガイド軸９が固定されている。また、保持部材８には、レンズ枠５を光軸方向へ案内するためのガイド溝８ａ（図２参照）と、移動機構６を構成する後述のナット１４の回転を防止するためのガイド溝８ｂとが形成されている。
【００２４】
レンズ枠５は、樹脂材料で形成されている。具体的には、レンズ枠５は、ポリカーボネイト（ＰＣ）で形成されている。このレンズ枠５は、レンズ４が固定されるレンズ保持部５ａと、保持部材８に保持される被保持部５ｂと、レンズ保持部５ａと被保持部５ｂとの間を繋ぐ連結部５ｃとを備えている。連結部５ｃは、レンズ保持部５ａからレンズ４の径方向の外側へ伸びるように形成されている。被保持部５ｂには、ガイド軸９が挿通される筒状ガイド部５ｄと、ガイド溝８ａに係合するガイド部５ｅとが形成されている。また、被保持部５ｂには、移動機構６を構成する後述の送りネジ１１が挿通される貫通穴５ｆが形成されている。貫通穴５ｆは、前後方向で被保持部５ｂを貫通している。
【００２５】
移動機構６は、送りネジ（リードスクリュー）１１と、送りネジ１１を回転させる駆動源としてのモータ１２と、レンズ枠５を前側へ付勢する付勢部材としてのバネ１３（図１参照）と、送りネジ１１にねじ結合するとともにレンズ枠５の前側に配置されるナット１４と、前後方向においてナット１４とレンズ枠５との間に配置される低摩擦部材としてのワッシャ１５とを備えている。なお、図１では、移動機構６の構成部品のうちのバネ１３のみを図示している。また、図２、図３では、バネ１３の図示を省略している。
【００２６】
送りネジ１１は、送りネジ１１の軸方向と前後方向とが一致するように配置されている。すなわち、送りネジ１１の軸方向は、光軸と平行に配置されている。また、送りネジ１１は、貫通穴５ｆに挿通されている。モータ１２は、図示を省略する取付け部材を介して保持部材８に取り付けられている。送りネジ１１は、モータ１２の出力軸に固定されている。バネ１３は、たとえば、引張りコイルバネであり、バネ１３の一端（前端）は、保持部材８に取り付けられ、バネ１３の他端（後端）は、レンズ枠５に取り付けられている。保持部材８には、バネ１３の一端が掛けられるバネ係止用フックが形成され、レンズ枠５には、バネ１３の他端が掛けられるバネ係止用フック５ｉ（図２参照）が形成されている。保持部材８に形成されるバネ係止用フックは、保持部材８の側壁に隠れているため、図示されていない。なお、送りネジ１１は、モータ１２の出力軸に形成されていても良い。また、バネ１３は、圧縮コイルバネまたはネジリコイルバネあるいは板バネ等であっても良い。
【００２７】
ナット１４は、樹脂材料で形成されている。具体的には、ナット１４は、ポリカーボネイトで形成されている。ナット１４は、環状に形成されており、ナット１４の内周面には、メネジが形成されている。また、ナット１４には、外周側へ突出する突起１４ａが形成されている。突起１４ａは、保持部材８のガイド溝８ｂに係合しており、突起１４ａとガイド溝８ｂとによって送りネジ１１を中心とするナット１４の回転が防止されている。
【００２８】
ワッシャ１５は、環状かつ平板状に形成されている。本形態のワッシャ１５は、円環状に形成されている。ワッシャ１５の内径（孔１５ａの内径）は、送りネジ１１の外径よりも若干大きくなっており、ワッシャ１５の内周側には、送りネジ１１が挿通されている。上述のように、ワッシャ１５は、前後方向においてナット１４とレンズ枠５との間に配置され、レンズ枠５は、バネ１３によって前側に付勢されている。そのため、ワッシャ１５の前面は、ナット１４の後面に接触している。また、ワッシャ１５の後面は、レンズ枠５の前面に接触している。具体的には、被保持部５ｂの前面の、貫通穴５ｆの周縁には、前後方向に直交する平面状の接触面５ｇが形成されており、ワッシャ１５の後面は、接触面５ｇに接触している。なお、図３における接触面５ｇの上側には、補強用の肉厚部５ｈが接触面５ｇよりも前側に向かって突出するように形成されている。肉厚部５ｈは、接触面５ｇが形成された部分を除く被保持部５ｂの全体に亘って形成されている。
【００２９】
ワッシャ１５は、樹脂材料で形成されている。具体的には、ワッシャ１５は、ポリテトラフルオロエチレン（ＰＴＦＥ）で形成されている。また、上述のように、レンズ枠５およびナット１４は、ポリカーボネイトで形成されている。そのため、レンズ枠５とワッシャ１５との間の摩擦係数、および、ナット１４とワッシャ１５との間の摩擦係数は、レンズ枠５とナット１４とが接触しているとした場合のレンズ枠５とナット１４との間の摩擦係数よりも小さくなっている。また、ワッシャ１５の比重は、レンズ枠５の比重およびナット１４の比重よりも大きくなっている。
【００３０】
ワッシャ１５の内径は、上述のように、送りネジ１１の外径よりも若干大きくなっており、前後方向から見たときに、ワッシャ１５の内周面は、ナット１４の外形の中に納まっている。すなわち、前後方向から見たときに、ナット１４の外形の中にワッシャ１５の内周面が納まるように、送りネジ１１の外径、ナット１４の外径およびワッシャ１５の内径が設定されている。また、本形態では、前後方向から見たときに、ワッシャ１５は、ナット１４の外形の中に納まっている。すなわち、前後方向から見たときに、ナット１４の外形の中にワッシャ１５が納まるように、送りネジ１１の外径、ナット１４の外径、ワッシャ１５の内径およびワッシャ１５の外径が設定されている。
【００３１】
ワッシャ１５の厚さ（前後方向の厚さ）は、送りネジ１１のピッチ（隣り合うネジ山間の距離）以上の厚さとなっている。本形態では、ワッシャ１５の厚さと送りネジ１１のピッチとが等しくなっている。たとえば、ワッシャ１５の厚さおよび送りネジ１１のピッチは、０．２（ｍｍ）となっている。
【００３２】
レンズ鏡筒１では、送りネジ１１が一方向へ回転して前側へナット１４が移動すると、レンズ枠５は、バネ１３の付勢力によってナット１４に追従して前側へ移動する。また、送りネジ１１が反対方向へ回転して後ろ側へナット１４が移動すると、レンズ枠５は、ワッシャ１５を介してナット１４に押されて後ろ側へ移動する。
【００３３】
（本形態の主な効果）
以上説明したように、本形態のレンズ鏡筒１は、レンズ４を保持するとともに前後方向（レンズ４の光軸方向）へ移動可能なレンズ枠５と、送りネジ１１と送りネジ１１を回転させるモータ１２とを有しレンズ枠５を前後方向へ移動させる移動機構６とを備えている。また、レンズ枠５には、前後方向（光軸方向）でレンズ枠５を貫通する貫通穴５ｆが形成され、送りネジ１１は、送りネジ１１の軸方向と光軸方向とが平行になるように貫通穴５ｆに挿通されている。さらに、移動機構６は、レンズ枠５を前側に付勢するバネ１３と、レンズ枠５の前側に配置され送りネジ１１にねじ結合するナット１４と、前後方向においてナット１４とレンズ枠５との間に配置されるワッシャ１５とを備えている。また、レンズ枠５とワッシャ１５との間の摩擦係数、および、ナット１４とワッシャ１５との間の摩擦係数は、レンズ枠５とナット１４とが接触しているとした場合のレンズ枠５とナット１４との間の摩擦係数よりも小さくなっている。さらに、レンズ枠５は、送りネジ１１が回転して前側へナット１４が移動すると、バネ１３の付勢力でナット１４に追従して前側へ移動し、送りネジ１１が回転して後ろ側へナット１４が移動すると、ナット１４に押されて後ろ側へ移動する。
【００３４】
このように、本形態では、レンズ枠５とワッシャ１５との間の摩擦係数、および、ナット１４とワッシャ１５との間の摩擦係数が、レンズ枠５とナット１４とが接触しているとした場合のレンズ枠５とナット１４との間の摩擦係数よりも小さくなっているため、ナット１４とレンズ枠５とが接触しているとしたときにナット１４とレンズ枠５との間に生じる摩擦力よりも、ワッシャ１５とレンズ枠５との間に生じる摩擦力、および、ワッシャ１５とナット１４との間に生じる摩擦力が小さくなる。したがって、本形態では、送りネジ１１に沿って移動する際のナット１４の、前後方向に直交する方向における振動がレンズ枠５に伝達されにくくなる。その結果、本形態では、送りネジ１１とナット１４とを用いてレンズ枠５を移動させる場合であっても、移動中のレンズ枠５の振動を抑制することが可能になる。
【００３５】
特に本形態では、ワッシャ１５がポリテトラフルオロエチレンで形成されているため、ワッシャ１５とレンズ枠５との間に生じる摩擦力およびワッシャ１５とナット１４との間に生じる摩擦力をより小さくすることが可能になる。したがって、本形態では、送りネジ１１に沿って移動する際のナット１４の、前後方向に直交する方向の振動がレンズ枠５により伝達されにくくなり、その結果、移動中のレンズ枠５の振動を効果的に抑制することが可能になる。
【００３６】
本形態のように、前後方向から見たときに、ワッシャ１５の内周面は、ナット１４の外形の中に納まっていることが好ましい。すなわち、本形態のように、円環状に形成されるワッシャ１５の内周面の全周に亘って、ナット１４とレンズ枠５との間にワッシャ１５が配置されていることが好ましい。この場合には、ナット１４とレンズ枠５との接触を確実に防止することが可能になる。また、この場合には、ワッシャ１５の前側の面は、孔１５ａの周囲の全周に亘ってナット１４に接触する。また、ワッシャ１５の後ろ側の面は、孔１５ａの周囲の全周に亘ってレンズ枠５に接触する。そのため、ワッシャ１５が前後に傾くことを防止できる。仮に、前後方向から見たときに、ワッシャ１５の内周面が、ナット１４の外形の中に納まらない場合には、ワッシャ１５が前後に傾き、ワッシャ１５がナット１４とレンズ枠５との間で片押しの状態となり、ワッシャ１５が破損してしまう虞がある。
【００３７】
本形態のように、ワッシャ１５の厚さは、送りネジ１１のピッチ以上の厚さとなっていることが好ましい。この場合には、送りネジ１１が回転したときに、送りネジ１１のネジ山やネジ溝に沿って送りネジ１１の径方向へワッシャ１５が移動して振動するのを防止することが可能になる。したがって、ワッシャ１５の振動に起因するレンズ枠５の振動を抑制することが可能になる。仮に、ワッシャ１５の厚さが送りネジ１１のピッチ未満の厚さとなっている場合には、ワッシャ１５が送りネジ１１のネジ溝内に落ちる虞がある。ワッシャ１５が送りネジ１１のネジ溝内に落ちると、ワッシャ１５がネジ溝の傾斜方向に傾斜する。そのため、ワッシャ１５がナット１４とレンズ枠５との間で片押しの状態となり、ワッシャ１５が破損してしまう虞がある。
【００３８】
また、本形態のように、ワッシャ１５の比重は、レンズ枠５の比重およびナット１４の比重よりも大きくなっていることが好ましい。この場合には、移動時のワッシャ１５の慣性を大きくすることが可能になる。したがって、移動時のワッシャ１５の振動を抑制することが可能になり、その結果、ワッシャ１５の振動に起因するレンズ枠５の振動を抑制することが可能になる。
【００３９】
本形態のように、ワッシャ１５は、環状かつ平板状に形成されており、ワッシャ１５の内周側に送りネジ１１が挿通されていることが好ましい。この場合には、ナット１４とレンズ枠５との間からのワッシャ１５の外れを防止することが可能になる。また、本形態のように、前後方向から見たときに、ワッシャ１５がナット１４の外形の中に納まっていることが好ましい。この場合には、ワッシャ１５とレンズ枠５の肉厚部５ｈとの干渉を防止しやすくなる。
【００４０】
また、本形態のように、被保持部５ｂの接触面５ｇは、肉厚部５ｈの前面よりも後方に配置されていることが好ましい。また、肉厚部５ｈおよびナット１４は、接触面５ｇとナット１４との間にワッシャ１５を挟み込んだ状態で、互いに干渉しない形状に形成されていることが好ましい。つまり、接触面５ｇとの間にワッシャ１５を挟み込んだ状態のナット１４の後面は、肉厚部５ｈの前面よりも後方に位置することが好ましい。すなわち、肉厚部５ｈとナット１４とは、光軸と直交する方向で互いに重なり合う部分を有することが好ましい。この場合には、被保持部５ｂの後面とナット１４の前面までの厚さが薄くなり、移動機構６の小型化を図ることができる。なお、前後方向から見たときに、ワッシャ１５がナット１４の外形の中に納まらない場合には、ワッシャ１５の後面が肉厚部５ｈの前面に接触（干渉）してしまう虞がある。つまり、被保持部５ｂの後面とナット１４の前面までの厚さを薄くできなくなってしまうおそれがある。これに対し、上述したように、前後方向から見たときに、ワッシャ１５がナット１４の外形の中に納まるようにすると、レンズ枠５の肉厚部５ｈとワッシャ１５との干渉を確実に防止でき、移動機構６の小型化を図ることができる。
【００４１】
（他の実施の形態）
上述した形態では、ワッシャ１５は、ポリテトラフルオロエチレンで形成されているが、レンズ枠５とワッシャ１５との間の摩擦係数、および、ナット１４とワッシャ１５との間の摩擦係数が、レンズ枠５とナット１４とが接触しているとした場合のレンズ枠５とナット１４との間の摩擦係数よりも小さくなるのであれば、ワッシャ１５は、ポリテトラフルオロエチレン以外の材料で形成されていても良い。たとえば、ワッシャ１５は、ポリスライダーで形成されていても良い。また、上述した形態では、レンズ枠５とナット１４とがポリカーボネイトで形成されているが、レンズ枠５とナット１４とが異なる材料で形成されていても良い。
【００４２】
上述した形態では、レンズ枠５とワッシャ１５との間の摩擦係数、および、ナット１４とワッシャ１５との間の摩擦係数が、ナット１４とレンズ枠５とが接触しているとした場合のレンズ枠５とナット１４との間の摩擦係数よりも小さくなっているが、レンズ枠５とワッシャ１５との間の摩擦係数、または、ナット１４とワッシャ１５との間の摩擦係数が、ナット１４とレンズ枠５とが接触しているとした場合のレンズ枠５とナット１４との間の摩擦係数以上となっていても良い。たとえば、ワッシャ１５の前面側とワッシャ１５の後面側とが異なる材料で形成されている場合に、レンズ枠５とワッシャ１５との間の摩擦係数、または、ナット１４とワッシャ１５との間の摩擦係数が、ナット１４とレンズ枠５とが接触しているとしたときのレンズ枠５とナット１４との間の摩擦係数以上となっていても良い。
【００４３】
この場合であっても、レンズ枠５とワッシャ１５との間の摩擦係数、および、ナット１４とワッシャ１５との間の摩擦係数のいずれか一方が、ナット１４とレンズ枠５とが接触しているとした場合のレンズ枠５とナット１４との間の摩擦係数よりも小さくなっているため、ナット１４とレンズ枠５とが接触しているとしたときにナット１４とレンズ枠５との間に生じる摩擦力よりも、ワッシャ１５とレンズ枠５との間に生じる摩擦力、または、ワッシャ１５とナット１４との間に生じる摩擦力が小さくなる。したがって、送りネジ１１に沿って移動する際のナット１４の、前後方向に直交する方向の振動がレンズ枠５に伝達されにくくなる。
【００４４】
上述した形態では、ワッシャ１５の内径は、送りネジ１１の外径よりも若干大きくなっているが、図５（Ａ）に示すように、ワッシャ１５の内径は、送りネジ１１の外径より大幅に大きくなっていても良い。この場合、図５（Ｂ）に示すように、ワッシャ１５の内径Ｄ１をとし、送りネジ１１の外径をＤ２とし、ナット１４の外径をＤ３とすると、
Ｄ１＜Ｄ２／２＋Ｄ３／２
となっていることが好ましい。このようになっていると、前後方向から見たときに、ワッシャ１５の内周面がナット１４の外形の中に納まるため、上述した形態と同様に、ナット１４とレンズ枠５との接触を確実に防止することが可能になる。
【００４５】
上述した形態では、ワッシャ１５は、円環状に形成されているが、ワッシャ１５は、楕円環状に形成されていても良いし、四角環状等の多角環状に形成されていても良い。また、上述した形態では、ワッシャ１５は、環状に形成されているが、ナット１４とレンズ枠５との間からワッシャ１５が外れないのであれば、ワッシャ１５は、環状以外の形状に形成されていても良い。たとえば、ワッシャ１５は、Ｕ形状やＣ形状等に形成されていても良い。
【符号の説明】
【００４６】
１  レンズ鏡筒
４  レンズ（フォーカスレンズ）
５  レンズ枠
５ｆ  貫通穴
６  移動機構
１１  送りネジ
１２  モータ（駆動源）
１３  バネ（付勢部材）
１４  ナット
１５  ワッシャ（低摩擦部材）
Ｚ１  第１方向側
Ｚ２  第２方向側
【図１】
2018031874.tif 000003
【図２】
2018031874.tif 000004
【図３】
2018031874.tif 000005
【図４】
2018031874.tif 000006
【図５】
2018031874.tif 000007